(57)【特許請求の範囲】
【請求項１】
針及び前記針を支持するハブからなり、注射器に結合可能な注射針と、
前記針を収容し、前記ハブの外周に気密を維持して結合可能であり、フィルタを有するキャップとを備え、
前記ハブには、内外を連通させる貫通孔が設けられ、前記貫通孔は、一方向弁手段により開放され及び閉鎖されることを特徴とする注射器用のフィルタ注射針組立体。
【請求項２】
針及び前記針を支持するハブからなる注射針と、
前記注射針と組み立てられ、注射器に結合させるための中空のコネクタと、
前記注射針を収容し、前記コネクタの外周に気密を維持して結合可能であり、フィルタを有するキャップとを備え、
前記コネクタには、内外を連通させる貫通孔が設けられ、前記貫通孔は一方向弁手段により開放され及び閉鎖されることを特徴とする注射器用のフィルタ注射針組立体。
【請求項３】
前記一方向弁手段は、前記キャップの結合により前記貫通孔を開放させ、前記キャップの分離により前記貫通孔を閉鎖させることを特徴とする請求項１または２に記載の注射器用のフィルタ注射針組立体。
【請求項４】
前記一方向弁手段は、注射器の内部を基準として負圧の作用により前記貫通孔を開放させ、正圧の作用により前記貫通孔を閉鎖させることを特徴とする請求項１または２に記載の注射器用のフィルタ注射針組立体。
【請求項５】
前記一方向弁手段は、前記貫通孔を取り囲んで弾力的に密閉させる円形断面の弾性バンドと、前記キャップの内周面に形成され、前記キャップの軸方向移動により前記弾性バンドと接触して前記弾性バンドを移動させる突起と、前記弾性バンドを、前記貫通孔を密閉させる位置に復帰させる凹溝とを有することを特徴とする請求項３に記載の注射器用のフィルタ注射針組立体。
【請求項６】
前記一方向弁手段は、前記貫通孔を取り囲んで弾力的に密閉させる弾性バンドと、前記キャップの内周面に形成され、前記キャップの軸方向移動により前記弾性バンドと接触し、前記貫通孔と前記弾性バンドの内周面との間に浮きを発生させる突起とを有することを特徴とする請求項３に記載の注射器用のフィルタ注射針組立体。
【請求項７】
前記弾性バンドの外周面には、前記突起に対応する係止段が突設されることを特徴とする請求項６に記載の注射器用のフィルタ注射針組立体。
【請求項８】
前記突起は、軸方向移動により前記貫通孔と前記弾性バンドの内周面との間に挿入され、流通孔が形成された楔形状であることを特徴とする請求項６に記載の注射器用のフィルタ注射針組立体。
【請求項９】
前記一方向弁手段は、前記貫通孔を選択的に開閉させる球を有する周知の逆止弁であることを特徴とする請求項４に記載の注射器用のフィルタ注射針組立体。
【請求項１０】
前記一方向弁手段は、前記貫通孔を選択的に開閉させる弾性フラップを有する周知の逆止弁であることを特徴とする請求項４に記載の注射器用のフィルタ注射針組立体。
【請求項１１】
前記一方向弁手段は、前記貫通孔に連結される傾斜したスリットからなり、断面形状による独自の弾性変形により開閉が行われることを特徴とする請求項４に記載の注射器用のフィルタ注射針組立体。
【発明の詳細な説明】
【技術分野】
【０００１】
本発明は、注射器用のフィルタ注射針組立体に関し、特に、注射器に、異物をろ過するためのフィルタが設けられたキャップを用いるとき、注射液の吸引をさらに容易にするための装置であって、異物の注射器内部への混入のみならず、注射針の外表面に異物が付着することも塞ぎ、アンプル切れが人体内に注射液と一緒に注射されることを防ぎ、安全性を高めるとともに、注射針のハブに多様な形態の一方向弁手段を設け、注射液の吸引をさらに円滑にすることにより、ユーザの使い勝手を向上させ、製品の商品性及び市場競争力を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダー２０と、シリンダー２０内に軸方向に沿って前進及び後退可能に設けられるプランジャー３０と、で構成される。
【０００４】
この種の注射器は、プランジャー３０の後退により、シリンダー２０内に負圧が発生しながら注射液が充填され、前進により、正圧となり、シリンダー２０内の注射液が注射針１０から排出されながら患者の体内に注射液の注射が行われるものである。
【０００５】
しかしながら、この種の注射器の使用時は、注射液そのものに混入されていた異物や、または注射液が貯蔵されたガラス製アンプルを折って開く場合、注射液内に飛散され混入されたガラス片のような異物が、注射液と一緒に患者の体内に注射される恐れがあった。
【０００６】
このような問題点を解決するために、注射液に含まれた異物をろ過するためのフィルタを備えたフィルタ注射器が開発されている。
【０００７】
先ず、特許文献１に開示されているように、異物のろ過のためのフィルタが注射針またはシリンダー内に設けられた従来のフィルタ注射器は、シリンダーの内部に吸引される注射液に対して異物をろ過する機能を行うことになる。
【０００８】
しかしながら、注射液の吸引時は、アンプルの内部に入った異物は注射針の外表面に 付着したり、あるいは注射針の内部に残存した注射液は、異物がろ過されていない状態であるので、異物が注射液と一緒に患者の体内に注射されることを基本的に防止することはできなかった。
【０００９】
これに対して、特許文献２には、異物のろ過のためのフィルタが、注射針を覆うキャップの内部に設けられた例が開示されている。
【００１０】
図２は、従来のフィルタキャップ注射器を示す分解斜視図であり、図３は、従来のフィルタキャップ注射器を示す要部断面図であって、特許文献２に開示された従来のフィルタキャップ注射器が、図２及び図３に示されている。
【００１１】
従来のフィルタキャップ注射器は、図３に示すように、キャップ４０の内部にフィルタ４１が設けられており、注射液の吸引時、異物がフィルタ４１でろ過され、注射時には、フィルタ４１を有するキャップ４０を注射針１０から分離させるので、異物が注射される恐れがない。
【００１２】
しかしながら、このような従来のフィルタキャップ注射器は、注射液がキャップ４０に設けられたフィルタ４１を通過した後、微細な注射針１０からのみシリンダー２０の内部に吸引されるので、注射液を吸引するのに比較的大きな力が要求され、使用が極めて不便であるという従来技術の問題点があった。
【先行技術文献】
【特許文献】
【００１３】
【特許文献１】韓国公開特許第１０‐２０１２‐８７５８７号公報
【特許文献２】米国登録特許第４１８００７１号公報
【発明の概要】
【発明が解決しようとする課題】
【００１４】
本発明は、前記問題点に鑑みなされたものであり、その目的は、異物の注射器内部への混入のみならず、注射針の外表面に異物が付着することも塞ぎ、アンプル切れが人体内に注射液と一緒に注射されることを防ぎ、安全性を高めるとともに、注射針のハブに多様な形態の一方向弁手段を設け、注射液の吸引をさらに円滑にすることにより、ユーザの使い勝手を向上させ、製品の商品性及び市場競争力を極大化させることができる、注射器用のフィルタ注射針組立体を提供することにある。
【課題を解決するための手段】
【００１５】
前記目的を達成するために、本発明は、針及び前記針を支持するハブからなり、注射器に結合可能な注射針と、前記針を収容し、前記ハブの外周に気密を維持して結合可能であり、フィルタを有するキャップとを備え、前記ハブには、内外を連通させる貫通孔が設けられ、前記貫通孔は、一方向弁手段により開放され及び閉鎖されることを特徴とする。
【００１６】
これと類似に本発明は、針及び前記針を支持するハブからなる注射針と、前記注射針と組み立てられ、注射器に結合させるための中空のコネクタと、前記注射針を収容し、前記コネクタの外周に気密を維持して結合可能であり、フィルタを有するキャップとを備え、前記コネクタには、内外を連通させる貫通孔が設けられ、前記貫通孔は一方向弁手段により開放され及び閉鎖されてもよい。
【００１７】
ここで、前記一方向弁手段は、前記キャップの結合により前記貫通孔を開放させ、前記キャップの分離により前記貫通孔を閉鎖させ、または注射器の内部を基準として負圧の作用により前記貫通孔を開放させ、正圧の作用により前記貫通孔を閉鎖させてもよい。
【００１８】
このとき、キャップの結合の有無により開閉される前記一方向弁手段は、前記貫通孔を取り囲んで弾力的に密閉させる円形断面の弾性バンドと、前記キャップの内周面に形成され、前記キャップの軸方向移動により前記弾性バンドと接触して前記弾性バンドを移動させる突起と、前記弾性バンドを、前記貫通孔を密閉させる位置に復帰させる凹溝とを有することが好ましい。
【００１９】
これとは異なり、キャップの結合の有無により開閉される前記一方向弁手段は、前記貫通孔を取り囲んで弾力的に密閉させる弾性バンドと、前記キャップの内周面に形成され、前記キャップの軸方向移動により前記弾性バンドと接触し、前記貫通孔と前記弾性バンドの内周面との間に浮きを発生させる突起とを有することも可能である。
【００２０】
ここで、前記弾性バンドの外周面には、前記突起に対応する係止段が突設され、または前記突起は、軸方向移動により前記貫通孔と前記弾性バンドの内周面との間に挿入されるが、流通孔が形成された楔形状であることが好ましい。
【００２１】
また、注射器の内部の圧力により開閉される前記一方向弁手段は、前記貫通孔を選択的に開閉させる球を有する周知の逆止弁であってもよく、前記貫通孔を選択的に開閉させる弾性フラップを有する周知の逆止弁であってもよい。
【００２２】
これとは異なり、注射器の内部の圧力により開閉される前記一方向弁手段は、前記貫通孔に連結される傾斜したスリットからなり、断面形状による独自の弾性変形により開閉が行われることも可能である。
【発明の効果】
【００２３】
本発明によれば、異物の注射器内部への混入のみならず、注射針の外表面に異物が付着することも塞ぎ、アンプル切れが人体内に注射液と一緒に注射されることを防ぎ、安全性を高めるとともに、注射針のハブに多様な形態の一方向弁手段を設け、注射液の吸引をさらに円滑にすることにより、ユーザの使い勝手を向上させ、製品の商品性及び市場競争力を極大化させることができる。
【図面の簡単な説明】
【００２４】
【図１】一般の注射器を示す分解斜視図である。
【図２】従来のフィルタキャップ注射器を示す分解斜視図である。
【図３】従来のフィルタキャップ注射器を示す要部断面図である。
【図４】本発明に係る注射器用のフィルタ注射針組立体についての一例を示す分解斜視図である。
【図５】本発明に係る注射器用のフィルタ注射針組立体についての他の例を示す分解斜視図である。
【図６】本発明に係る注射器用のフィルタ注射針組立体において、一方向弁手段についての第１の実施例の動作を示す断面図である。
【図７】本発明に係る注射器用のフィルタ注射針組立体において、一方向弁手段についての第２の実施例を示す分解斜視図である。
【図８】本発明に係る注射器用のフィルタ注射針組立体において、一方向弁手段についての第２の実施例の動作を示す断面図である。
【図９】本発明に係る注射器用のフィルタ注射針組立体において、一方向弁手段についての第３の実施例を示す要部断面図である。
【図１０】本発明に係る注射器用のフィルタ注射針組立体において、一方向弁手段についての第４の実施例を示す要部断面図である。
【図１１】本発明に係る注射器用のフィルタ注射針組立体において、一方向弁手段についての第５の実施例を示す要部斜視図である。
【図１２】本発明に係る注射器用のフィルタ注射針組立体において、一方向弁手段についての第６の実施例の動作を示す断面図である。
【図１３】本発明に係る注射器用のフィルタ注射針組立体において、一方向弁手段についての第７の実施例の動作を示す断面図である。
【発明を実施するための形態】
【００２５】
図４は、本発明に係る注射器用のフィルタ注射針組立体についての一例を示す分解斜視図であり、図５は、本発明に係る注射器用のフィルタ注射針組立体についての他の例を示す分解斜視図であり、図６は、本発明に係る注射器用のフィルタ注射針組立体において、一方向弁手段についての第１の実施例の動作を示す断面図であって、（ａ）は、一方向弁手段３００の閉鎖状態を示し、（ｂ）は、一方向弁手段３００の開放状態を示す。
【００２６】
また、図７は、本発明に係る注射器用のフィルタ注射針組立体において、一方向弁手段についての第２の実施例を示す分解斜視図であり、図８は、本発明に係る注射器用のフィルタ注射針組立体において、一方向弁手段についての第２の実施例の動作を示す断面図であって、（ａ）は、一方向弁手段３００の閉鎖状態を示し、（ｂ）は、一方向弁手段３００の開放状態を示す。
【００２７】
また、図９は、本発明に係る注射器用のフィルタ注射針組立体において、一方向弁手段についての第３の実施例を示す要部断面図であり、図１０は、本発明に係る注射器用のフィルタ注射針組立体において、一方向弁手段についての第４の実施例を示す要部断面図であり、図９及び図１０は共に、一方向弁手段３００が開放された状態を示す。
【００２８】
また、図１１は、本発明に係る注射器用のフィルタ注射針組立体において、一方向弁手段についての第５の実施例を示す要部斜視図であり、図１２は、本発明に係る注射器用のフィルタ注射針組立体において、一方向弁手段についての第６の実施例の動作を示す断面図であって、（ａ）は、一方向弁手段３００の閉鎖状態を示し、（ｂ）は、一方向弁手段３００の開放状態を示す。
【００２９】
最後に、図１３は、本発明に係る注射器用のフィルタ注射針組立体において、一方向弁手段についての第７の実施例の動作を示す断面図であって、（ａ）は、一方向弁手段３００の閉鎖状態を示し、（ｂ）は、一方向弁手段３００の開放状態を示す。
【００３０】
本発明に係る注射器用のフィルタ注射針組立体は、図４乃至図１３に示すように、針１１０とハブ１２０とからなる注射針１００に、又は、この注射針１００を注射器に組み立てるためのコネクタ４００に一方向弁手段３００をさらに設け、注射液の吸引時、一方向弁手段３００が開放され、フィルタ２１０を通過した注射液が円滑に注射器のシリンダーの内部に吸引され、注射液の注射時、一方向弁手段３００が閉鎖され、注射液が針１１０から患者の体内に注射されるようにすることを、その技術上の基本特徴とする。
【００３１】
以下、添付図面を参照して、本発明に係る実施例について詳述する。
【００３２】
先ず、本発明に係る注射器用のフィルタ注射針組立体は、基本的に注射液が収容されるシリンダーと、このシリンダー内に軸方向に沿って前進及び後退可能に設けられるプランジャーとを有する一般の注射器（図１参照）に共通的に適用可能なものであり、注射器の形態や種類に制限されない。
【００３３】
本発明に係る注射器用のフィルタ注射針組立体は、図４及び図６に示すように、針１１０及びその針１１０を支持するハブ１２０からなり、注射器に結合可能な注射針１００と、針１１０を収容し、ハブ１２０の外周に気密を維持して結合可能であり、フィルタ２１０を有するキャップ２００とを備え、ハブ１２０には、内外を連通させる貫通孔１２１が設けられ、貫通孔１２１は、一方向弁手段３００により開閉される。
【００３４】
すなわち、本発明は、大きく分けて、針１１０とハブ１２０からなる注射針１００と、フィルタ２１０を有するキャップ２００と、ハブ１２０に形成された貫通孔１２１を選択的に開閉させる一方向弁手段３００と、からなり、一般の注射器のシリンダーの先端に結合されるものである。
【００３５】
このとき、本発明に係る注射器用のフィルタ注射針組立体は、図５に示すように、針１１０及びその針１１０を支持するハブ１２０からなる注射針１００と、注射針１００と組み立てられ、注射器２０に結合させるための中空のコネクタ４００と、注射針１００を収容し、コネクタ４００の外周に気密を維持して結合可能であり、フィルタ２１０を有するキャップ２００とを備え、コネクタ４００には、内外を連通させる貫通孔４１１が設けられ、貫通孔４１１は、一方向弁手段３００により開閉されるものであってもよい。
【００３６】
これは、上述した構成と比べると、単にコネクタ４００がさらに構成され、このコネクタ４００に貫通孔４１１が設けられ、一方向弁手段３００が、コネクタ４００に形成された貫通孔４１１の上に位置し、キャップ２００が、コネクタ４００に結合することを除いては、全ての動作が同一であるので、注射針１００のハブ１２０に貫通孔１２１が設けられたものを例として、図４及び図６を参照して後述し、図５において重複する説明は省略する。
【００３７】
但し、コネクタ４００は、入口が注射針１００と組み立てられる直径に形成され、その出口が注射器（図５に例示した図面符号２０）に組み立てされる直径に形成される中空体であって、注射針１００を注射器２０に組み立てるための連結体である。
【００３８】
コネクタ４００を用いると、既存の注射針１００を変更せず、そのまま用いながら、本発明の機能を行うことができるという利点を有する。
【００３９】
先ず、注射針１００は、通常、高剛性の金属または合成樹脂素材の毛細管である針１１０と、針１１０の後端を取り囲んで一体に射出成形されて支持する通常の合成樹脂素材のハブ１２０とを備える。
【００４０】
このとき、ハブ１２０には、その内側と外側を貫通し、注射液が通過する貫通孔１２１が設けられる。
【００４１】
貫通孔１２１は、１つのハブ１２０に１つ以上設けられ、複数個が放射状に配置されることが好ましい。
【００４２】
貫通孔１２１の個数や大きさは、注射液の吸引時、ユーザの操作力に影響を及ぼすものであり、貫通孔１２１の個数が多くサイズが大きいほど、注射液の吸引がさらに円滑になるが、加工の便宜性等を考慮して適宜加減できるのは明らかである。
【００４３】
次に、キャップ２００は、金属または合成樹脂素材の中空管からなるものであり、針１１０を収容し、ハブ１２０の外周面を取り囲んで弾力的に結合して気密を維持し、特に、その先端には、注射液に含まれた異物をろ過するためのフィルタ２１０が設けられている。
【００４４】
フィルタ２１０は、周知の構成と同一である。
【００４５】
ここで、貫通孔１２１は、後述する一方向弁手段３００がその近くに設けられ、またはこの貫通孔１２１内に一方向弁手段３００が直接設置されることにより、一方向弁手段３００により開閉される。
【００４６】
特に、本発明において、一方向弁手段３００による貫通孔１２１の開閉は、２つの条件により切替可能にすることが好ましい。
【００４７】
第一に、一方向弁手段３００は、注射針１００へのキャップ２００の結合により開放され、キャップ２００の分離により閉鎖されるものであって、後述する第１の実施例乃至第４の実施例に該当する。
【００４８】
第二に、一方向弁手段３００は、注射器の内部を基準として、負圧の作用により開放され、正圧の作用により閉鎖されるものであって、後述する第５の実施例乃至第７の実施例に該当する。
【００４９】
以上、一方向弁手段３００について機能的に説明したが、一方向弁手段３００がこのような機能を行うように、周知の構成により多様に具現することが可能であり、本発明における好適な実施の形態例について、それぞれ分けて説明すれば下記の通りである。
【００５０】
[第１の実施形態例]
本発明において、一方向弁手段３００は、図４及び図６に示すように、貫通孔１２１を取り囲んで弾力的に密閉させる円形断面の弾性バンド３１０と、キャップ２００の内周面に形成され、キャップ２００の軸方向移動により、弾性バンド３１０と接触して弾性バンド３１０を移動させる突起２２０と、弾性バンド３１０を、貫通孔１２１を密閉させる位置に復帰させる凹溝１２２とを備える。
【００５１】
このとき、凹溝１２２は、ハブ１２０の周囲を一周して形成され、弾性バンド３１０の位置を維持させるものである。
【００５２】
この場合、図６の（ａ）に示すように、注射針１００がキャップ２００と結合しなかった状態では、弾性バンド３１０が、凹溝１２２の傾斜面に乗って、中央に位置する貫通孔１２１を閉鎖する。
【００５３】
しかし、図６の（ｂ）に示すように、キャップ２００が注射針１００に結合すると、キャップ２００の内周面に形成された突起２２０が、弾性バンド３１０の位置を移動させながら貫通孔１２１が開放される。
【００５４】
以後、キャップ２００を分離すれば、移動していた弾性バンド３１０は、図６の（a）に示すように、さらに凹溝１２２の傾斜面に乗って元の位置に復帰し、貫通孔１２１を再び閉鎖させる。
【００５５】
但し、図５においては、コネクタ４００に形成された凹溝が図面符号４１２と示されている。
【００５６】
[第２の実施形態例]
本発明において、一方向弁手段３００は、図７及び図８に示すように、貫通孔１２１を取り囲んで弾力的に密閉させる弾性バンド３１０と、キャップ２００の内周面に形成され、キャップ２００の軸方向移動により弾性バンド３１０と接触し、ハブ１２０の外周面と弾性バンド３１０の内周面との間に浮きを発生させる突起２２０とを備えることが好ましい。
【００５７】
このとき、図７及び図８に示すように、貫通孔１２１の周辺に凹状に窪んで凹溝１２２を形成することが好ましく、弾性バンド３１０は、貫通孔１２１のみならず、凹溝１２２までを覆う弾性材質の環状バンドである。
【００５８】
これにより、注射針１００にキャップ２００が結合されなかった状態では、貫通孔１２１が、図８の（ａ）に示すように、弾性バンド３１０により閉鎖された状態を維持する。
【００５９】
しかし、キャップ２００の内周面には、突起２２０が突設され、注射針１００にキャップ２００が結合すると、図８の（ｂ）に示すように、突起２２０が、弾性バンド３１０と接触して弾性バンド３１０を曲げ変形させ、その結果、ハブ１２０の外周面と弾性バンド３１０の内周面との間に浮きが発生しながら、貫通孔１２１が開放状態に変わる。
【００６０】
もちろん、キャップ２００を再び分離すると、弾性バンド３１０の形状が弾力的に復元されながら、図８の（ａ）に示すように、貫通孔１２１を再び閉鎖させる。
【００６１】
このとき、弾性バンド３１０の内周面には、固定突起３１２が突設され、ハブ１２０の外周面には、固定突起３１２が定着可能な固定凹溝１２３を凹状に窪んで形成することにより、弾性バンド３１０の変形は可能であるが、位置は変更されないようにすることがよい。
【００６２】
[第３の実施形態例]
第３の実施形態例は、上述した第２の実施例の変形例であって、弾性バンド３１０の外周面には、図９に示すように、突起２２０に対応する係止段３１１が突設される。
【００６３】
すなわち、第２の実施例と同様に、突起２２０に応じて、弾性バンド３１０の全厚さを適宜設計することができるが、第３の実施例のように、弾性バンド３１０に別に突出した係止段３１１を設けることにより、上述した第２の実施例の作用がさらに円滑に行われるようにしてもよい。
【００６４】
[第４の実施形態例]
第４の実施形態例もまた、上述した第２の実施形態例を変形例であって、図１０に示すように、突起２２０が、軸方向移動によりハブ１２０の外周面と弾性バンド３１０の内周面との間に挿入されるが、流通孔２２１が形成された楔形状である。
【００６５】
すなわち、上述した第２の実施形態例や第３の実施形態例において形成された突起２２０が、弾性バンド３１０の胴体または係止段３１１に接触して弾性バンド３１０の浮きを引き起こすものであれば、第４の実施例は、突起２２０が楔形状からなり、ハブ１２０の外周面と弾性バンド３１０の内周面との間に入り込んで浮きを引き起こすものである。
【００６６】
このため、突起２２０の後端は、尖った楔形状からなることが好ましく、このとき、突起２２０の内周面への注射液の流れが可能なように、流通孔２２１をさらに形成することが好ましい。
【００６７】
流通孔２２１は、円形断面を有して中空状に形成してもよく、例示のように、半円形断面を有して溝に形成してもよい。
【００６８】
[第５の実施形態例]
本発明において、一方向弁手段３００は、図１１に示すように、貫通孔１２１を選択的に開閉させる球３２０を有する周知の逆止弁である。
【００６９】
球３２０を有する逆止弁は、遊動可能な球３２０の両側に接触シート３２１、３２２が形成されるが、一方のシート３２１は、注射液が流れるように切開されており、他方のシート３２２は、球３２０の外表面と接触して気密を維持するようになっている。
【００７０】
その結果、注射器を基準として、負圧が作用すると、球３２０が切開されたシート３２１側に移動し、注射液がこの切開部位から流れるが、注射器を基準として正圧が作用すると、球３２０が気密を維持するシート３２２側に移動し、注射液の流れを遮断するようになる。
【００７１】
このように球３２０を有する逆止弁は、貫通孔１２１を開閉させるように、ハブ１２０の内側または外側に設置されてもよく、例示のように、貫通孔１２１内に直接設置されてもよい。
【００７２】
[第６の実施形態例]
本発明において、一方向弁手段３００は、図１２に示すように、貫通孔１２１を選択的に開閉させる弾性フラップ３３０を有する周知の逆止弁である。
【００７３】
弾性フラップ３３０を有する逆止弁は、薄い弾性薄膜からなる弾性フラップ３３０を貫通孔１２１の内側面に固定させたものであり、弾性フラップ３３０をハブ１２０の内側面に融着させ、または別途の構造的な構成要素を通じて分離されないように固定させることができる。
【００７４】
その結果、注射器を基準として負圧が作用すると、図１２の（ｂ）に示すように、弾性フラップ３３０が開放されながら注射液の流れが可能であるが、注射器を基準として正圧が作用すると、図１２の（ａ）に示すように、弾性フラップ３３０が貫通孔１２１を塞ぎ、注射液の流れを遮断するようになる。
【００７５】
[第７の実施形態例]
本発明において、一方向弁手段３００は、図１３に示すように、貫通孔１２１に連結される傾斜したスリット１２１ａからなり、断面形状による独自の弾性変形により開閉される。
【００７６】
すなわち、貫通孔１２１に微細な隙間を有して切開された翼状スリット１２１ａを形成することにより、その結果、注射器を基準として負圧が作用すると、図１３の（ｂ）に示すように、スリット１２１ａが弾性変形されながら開放され、注射液の流れが可能であるが、注射器を基準として正圧が作用すると、図１３の（ａ）に示すように、スリット１２１ａが弾性変形されながら貫通孔１２１を塞ぎ、注射液の流れを遮断するようになる。
【００７７】
このような第７の実施例は、ハブ１２０に形成された貫通孔１２１の形状を適宜加工することにより、一方向弁手段３００の機能を有するものであり、構造が簡単で、作製が容易であるという利点を有する。
【００７８】
以下、図面を参照して、本発明の作用について説明する。
【００７９】
上述した構成の本発明に係る注射器用のフィルタ注射針組立体は、図４に示す構成である場合、注射針１００にキャップ２００を結合した状態で、また図５に示す構成である場合、コネクタ４００にキャップ２００を結合した状態で、アンプルの内部に注射針１００とキャップ２００を一緒に入れ、注射器のプランジャーを後退させると、薬液が注射器の内部に吸引される。
【００８０】
このとき、キャップ２００の先端を鋭く加工すれば、バイアルに刺して薬液を吸引することもできる。
【００８１】
吸引される注射液は、キャップ２００に設けられたフィルタ２１０を通過しながらアンプルのガラス片等の異物がろ過され、キャップ２００内に入った注射液は、針１１０のみならず、開放した貫通孔１２１から円滑に注射器の内部に吸引される。
【００８２】
このとき、第１の実施形態例乃至第４の実施形態例の場合、キャップ２００が注射針１００に結合された状態であるので、キャップ２００に形成される突起２２０に弾性バンド３１０が接触して位置移動し、または自体変形されながら貫通孔１２１が開放され、第５の実施形態例乃至第７の実施形態例の場合、注射器を基準として負圧の作用により一方向弁手段３００が開放される。
【００８３】
以後、注射液の吸引が完了すれば、注射針１００またはコネクタ４００からキャップ２００を分離させた後、患者の身体に注射針１００を挿入して注射液を注射する。
【００８４】
このとき、第１の実施形態例乃至第４の実施形態例の場合、キャップ２００が注射針１００から分離された状態であるので、弾性バンド３１０が元の位置に戻り、またはその形状が弾力的に復元されながら貫通孔１２１を閉鎖させ、第５の実施形態例乃至第７の実施形態例の場合、注射器を基準として正圧の作用により一方向弁手段３００が閉鎖される。
【００８５】
その結果、注射液は、ハブ１２０またはコネクタ４００に形成された貫通孔１２１、４１１を通さず、ただ針１１０を通じて患者の身体内に注入される。
【００８６】
したがって、本発明に係る注射器用のフィルタ注射針組立体は、異物の注射器内部への混入のみならず、注射針の外表面に異物が付着することも塞ぎ、アンプル切れが人体内に注射液と一緒に注射されることを防ぎ、安全性を高めることができる。
【００８７】
これとともに、注射針のハブに多様な形態の一方向弁手段を設け、注射液の吸引をさらに円滑にすることにより、ユーザの使い勝手を向上させ、製品の商品性及び市場競争力を極大化させることができるという優れた利点を有する発明である。
【００８８】
上述した実施形態例は、本発明の技術的思想を具体的に説明するための一例であり、本発明の範囲は、上述した図面や実施形態例に限定されるものではない。
【符号の説明】
【００８９】
１００  注射針
１１０  針
１２０  ハブ
１２１、４１１  貫通孔
１２１ａ  スリット
１２２、４１２  凹溝
１２３  固定凹溝
２００  キャップ
２１０  フィルタ
２２０  突起
２２１  流通孔
３００  一方向弁手段
３１０  弾性バンド
３１１  係止段
３１２  固定突起
３２０  球
３２１  切開されたシート
３２２  密閉されたシート
３３０  弾性フラップ
４００  コネクタ
【図１】
0006450502.tif 000002
【図２】
0006450502.tif 000003
【図３】
0006450502.tif 000004
【図４】
0006450502.tif 000005
【図５】
0006450502.tif 000006
【図６】
0006450502.tif 000007
【図７】
0006450502.tif 000008
【図８】
0006450502.tif 000009
【図９】
0006450502.tif 000010
【図１０】
0006450502.tif 000011
【図１１】
0006450502.tif 000012
【図１２】
0006450502.tif 000013
【図１３】
0006450502.tif 000014